(57)【要約】【課題】消費電力を低減し、回路設計を簡素化し、コストを低減し、放射電磁場が強い電池不要の無線ポインティングデバイスおよびタブレット装置を提供する。【解決手段】電池不要の無線ポインティングデバイス１００およびタブレット装置２００であって、複数のセンサコイルを含み該センサコイルを利用することにより、タブレット装置が送信した周波数信号を無線受信し、周波数信号により電磁誘導が生じ電気エネルギーを生成する電源供給回路と、該電源供給回路が生成した電気エネルギーを受信しセンサ信号を生成し、センサ信号を前記タブレット装置に送信するセンサ回路からなり、ポインティングデバイス１００は、電源供給回路１３０およびセンサ回路１１０を含み、タブレット装置２００は、信号処理回路２５０、第１のアンテナ回路２１０および第２のアンテナ回路２３０を含む。【選択図】図２
0003152815.tif 000002
【実用新案登録請求の範囲】
【請求項１】
電池不要の無線ポインティングデバイスおよびタブレット装置を含み、
前記電池不要の無線ポインティングデバイスは、少なくとも、
複数のセンサコイルを含み、前記複数のセンサコイルを利用することにより、前記タブレット装置が送信した周波数信号を無線受信し、前記周波数信号により、電磁誘導が生じ、電気エネルギーを生成する電源供給回路と、
該電源供給回路が生成した前記電気エネルギーを受信し、センサ信号を生成し、前記センサ信号を前記タブレット装置に送信するセンサ回路と、を含み、
前記タブレット装置は、少なくとも、
周波数信号を生成し、前記電池不要の無線ポインティングデバイスが送信した前記センサ信号に基づき、前記電池不要の無線ポインティングデバイスの座標位置を算出する信号処理回路と、
前記周波数信号を送信する第１のアンテナ回路と、
前記センサ信号を無線受信する第２のアンテナ回路と、を含むことを特徴とする電池不要の無線ポインティングデバイスおよびタブレット装置。
【請求項２】
前記複数のセンサコイルは、
前記周波数信号により、電磁誘導が生じ、エネルギー信号を生成し、
前記電源供給回路は、
前記複数のセンサコイルに接続され、前記複数のセンサコイルが送信したエネルギー信号を受信し、前記エネルギー信号を利用し、前記電気エネルギーを生成する整流回路をさらに含むことを特徴とする請求項１記載の電池不要の無線ポインティングデバイスおよびタブレット装置。
【請求項３】
前記電源供給回路は、
前記整流回路と前記センサ回路との間に接続され、前記電気エネルギーを蓄積するエネルギー蓄積コンデンサをさらに含むことを特徴とする請求項２記載の電池不要の無線ポインティングデバイスおよびタブレット装置。
【請求項４】
前記センサ回路は、
前記電源供給回路が生成した前記電気エネルギーを受信し、前記センサ信号を生成するオシレータ回路と、
前記オシレータ回路に接続され、前記オシレータ回路が生成したセンサ信号を前記タブレット装置に送信するセンサコイルと、を含むことを特徴とする請求項１記載の電池不要の無線ポインティングデバイスおよびタブレット装置。
【請求項５】
前記電池不要の無線ポインティングデバイスは、スタイラスペンまたは無線マウスであることを特徴とする請求項１記載の電池不要の無線ポインティングデバイスおよびタブレット装置。
【請求項６】
少なくとも、複数のセンサコイルを含み、該複数のセンサコイルを利用することにより、周波数信号を無線受信し、受信した前記周波数信号により、電磁誘導が生じ、電気エネルギーを生成する電源供給回路と、
前記電源供給回路が生成した前記電気エネルギーを受信し、センサ信号を生成するセンサ回路と、を含むことを特徴とする電池不要の無線ポインティングデバイス。
【請求項７】
前記複数のセンサコイルは、前記周波数信号により、電磁誘導が生じ、エネルギー信号を生成し、
前記電源供給回路は、前記複数のセンサコイルに接続され、前記複数のセンサコイルが送信したエネルギー信号を受信し、前記エネルギー信号を利用して前記電気エネルギーを生成する整流回路をさらに含むことを特徴とする請求項６記載の電池不要の無線ポインティングデバイス。
【請求項８】
前記電源供給回路は、前記整流回路と前記センサ回路との間に接続され、前記電気エネルギーを蓄積するエネルギー蓄積コンデンサーをさらに含むことを特徴とする請求項７記載の電池不要の無線ポインティングデバイス。
【請求項９】
前記センサ回路は、前記電源供給回路が生成した電気エネルギーを受信し、前記センサ信号を生成するオシレータ回路と、
前記オシレータ回路に接続され、前記オシレータ回路が生成した前記センサ信号を送信するセンサコイルと、を含むことを特徴とする請求項６記載の電池不要の無線ポインティングデバイス。
【請求項１０】
前記電池不要の無線ポインティングデバイスは、スタイラスペンまたは無線マウスであることを特徴とする請求項６記載の電池不要の無線ポインティングデバイス。
【考案の詳細な説明】
【技術分野】
【０００１】
本考案は入力装置に関し、特に、電磁誘導方式により、電源供給を行う電池不要の無線ポインティングデバイスおよびタブレット装置に関する。
【背景技術】
【０００２】
現在、市場におけるタブレット装置は、すべて、無線ポインティングデバイスと組み合わされて使用される。無線ポインティングデバイスがタブレット装置に接触したとき、無線ポインティングデバイスに電磁場が発生する。タブレット装置は、磁気結合を利用する方式により、無線ポインティングデバイスの座標位置を演算し、その座標位置をコンピュータに伝送する。
【０００３】
現在、無線ポインティングデバイスが必要とする電源は、主に、一次電池を使用する方式、または、電磁誘導を利用する方式の２種類の方式により供給される。一次電池を使用する場合、無線ポインティングデバイスの電池を頻繁に交換する必要があるため、ユーザにとって極めて不便であり、さらに、環境に悪い。そのため、現在、電磁誘導方式が最も適当な電源供給方式となっている。
【０００４】
現在、無線ポインティングデバイスおよびタブレット装置の電磁誘導による電源供給に関連する技術は、タブレット装置が大きな磁場を形成し、無線ポインティングデバイスが磁場を受信し、所定のエネルギーを蓄積した後、タブレット装置に返信するものである。しかし、この方式は、タブレット装置の消費電力が多い、回路設計が複雑である、コストが高い、放射電磁場が強い、などの問題を含む。
【０００５】
従って、如何に、タブレット装置の消費電力を低減し、回路設計を簡素化し、コストを低減し、放射電磁場が強いという問題を解決するかは、業界が解決を目指す課題である。
【先行技術文献】
【特許文献】
【０００６】
【特許文献１】特開２００２−０９１６９５号公報
【考案の概要】
【考案が解決しようとする課題】
【０００７】
本考案の目的は、従来のタブレット装置の消費電力を低減し、回路設計を簡素化し、コストを低減し、放射電磁場が強いという問題点に鑑みてなされたもので、電磁誘導により電源供給を行う方式に存在する問題を解決できる電池不要の無線ポインティングデバイスおよびタブレット装置を提供することにある。
【課題を解決するための手段】
【０００８】
上述の課題を解決するために、本考案の電池不要の無線ポインティングデバイスおよびタブレット装置は、電池不要の無線ポインティングデバイスおよびタブレット装置を含む。電池不要の無線ポインティングデバイスとタブレット装置とは、互いに組み合わせて使用される。
本考案は、電池不要の無線ポインティングデバイスは、少なくとも、電源供給回路およびセンサ回路を含む。前記電源供給回路は、センサコイルを利用することにより、タブレット装置が送信した周波数信号を無線受信する。周波数信号により、必要な電気エネルギーを生成する。前記センサ回路は、電源供給回路からの電気エネルギーを受信し、センサ信号を生成し、センサ信号をタブレット装置に送信する。前記電池不要の無線ポインティングデバイスは、スタイラスペンまたは無線マウスである。
【０００９】
すなわち、請求項１の考案は、電池不要の無線ポインティングデバイスおよびタブレット装置において、電池不要の無線ポインティングデバイスおよびタブレット装置を含み、前記電池不要の無線ポインティングデバイスは、少なくとも、複数のセンサコイルを含み、前記複数のセンサコイルを利用することにより、前記タブレット装置が送信した周波数信号を無線受信し、前記周波数信号により、電磁誘導が生じ、電気エネルギーを生成する電源供給回路と、前記電源供給回路が生成した前記電気エネルギーを受信し、センサ信号を生成し、前記センサ信号を前記タブレット装置に送信するセンサ回路とを含み、前記タブレット装置は、少なくとも、周波数信号を生成し、前記電池不要の無線ポインティングデバイスが送信した前記センサ信号に基づき、前記電池不要の無線ポインティングデバイスの座標位置を算出する信号処理回路と、前記周波数信号を送信する第１のアンテナ回路と、前記センサ信号を無線受信する第２のアンテナ回路と、を含むことを特徴とする。
【００１０】
請求項２の考案は、請求項１記載の電池不要の無線ポインティングデバイスおよびタブレット装置において、前記複数のセンサコイルは、前記周波数信号により、電磁誘導が生じ、エネルギー信号を生成し、
前記電源供給回路は、前記複数のセンサコイルに接続され、前記複数のセンサコイルが送信したエネルギー信号を受信し、前記エネルギー信号を利用し、前記電気エネルギーを生成する整流回路をさらに含むことを特徴とする。
請求項３の考案は、請求項２記載の電池不要の無線ポインティングデバイスおよびタブレット装置において、前記電源供給回路は、前記整流回路と前記センサ回路との間に接続され、前記電気エネルギーを蓄積するエネルギー蓄積コンデンサをさらに含むことを特徴とする。
請求項４の考案は、請求項１記載の電池不要の無線ポインティングデバイスおよびタブレット装置において、前記センサ回路は、前記電源供給回路が生成した前記電気エネルギーを受信し、前記センサ信号を生成するオシレータ回路と、前記オシレータ回路に接続され、前記オシレータ回路が生成したセンサ信号を前記タブレット装置に送信するセンサコイルと、を含むことを特徴とする。
請求項５の考案は、請求項１記載の電池不要の無線ポインティングデバイスおよびタブレット装置において、前記電池不要の無線ポインティングデバイスは、スタイラスペンまたは無線マウスであることを特徴とする。
【００１１】
請求項６の考案は、電池不要の無線ポインティングデバイスにおいて、少なくとも、
複数のセンサコイルを含み、前記複数のセンサコイルを利用することにより、周波数信号を無線受信し、受信した前記周波数信号により、電磁誘導が生じ、電気エネルギーを生成する電源供給回路と、
前記電源供給回路が生成した前記電気エネルギーを受信し、センサ信号を生成するセンサ回路と、を含むことを特徴とする。
【００１２】
請求項７の考案は、請求項６記載の電池不要の無線ポインティングデバイスにおいて、前記複数のセンサコイルは、前記周波数信号により、電磁誘導が生じ、エネルギー信号を生成し、前記電源供給回路は、前記複数のセンサコイルに接続され、前記複数のセンサコイルが送信したエネルギー信号を受信し、前記エネルギー信号を利用して前記電気エネルギーを生成する整流回路をさらに含むことを特徴とする。
請求項８の考案は、請求項７記載の電池不要の無線ポインティングデバイスにおいて、前記電源供給回路は、前記整流回路と前記センサ回路との間に接続され、前記電気エネルギーを蓄積するエネルギー蓄積コンデンサーをさらに含むことを特徴とする。
請求項９の考案は、請求項６記載の電池不要の無線ポインティングデバイスにおいて、前記センサ回路は、前記電源供給回路が生成した電気エネルギーを受信し、前記センサ信号を生成するオシレータ回路と、前記オシレータ回路に接続され、前記オシレータ回路が生成した前記センサ信号を送信するセンサコイルと、を含むことを特徴とする。
請求項１０の考案は、請求項６記載の電池不要の無線ポインティングデバイスにおいて、前記電池不要の無線ポインティングデバイスは、スタイラスペンまたは無線マウスであることを特徴とする。
【考案の効果】
【００１３】
本考案の電池不要の無線ポインティングデバイスおよびタブレット装置により、タブレット装置の消費電力を低減し、回路設計を簡素化し、コストを低減し、放射電磁場が強いという効果が得られる。
【図面の簡単な説明】
【００１４】
【図１】本考案の一実施形態による電池不要の無線ポインティングデバイスおよびタブレット装置を示す斜視図である。
【図２】本考案の一実施形態による電池不要の無線ポインティングデバイスおよびタブレット装置の回路構造を示す回路図である。
【図３】本考案の他の実施形態による電池不要の無線ポインティングデバイスおよびタブレット装置の回路構造を示す回路図である。
【考案を実施するための形態】
【００１５】
本考案の目的、特徴および効果を示す実施形態を図面に沿って詳細に説明する。
【００１６】
図１および図２を参照する。図１および図２に示すように、本実施形態による電池不要の無線ポインティングデバイスおよびタブレット装置は、電池不要の無線ポインティングデバイス１００およびタブレット装置２００を含む。
【００１７】
前記電池不要の無線ポインティングデバイス１００は、少なくとも、電源供給回路１３０およびセンサ回路１１０を含む。前記電源供給回路１３０は、センサコイル１３２を利用することにより、タブレット装置２００が送信した周波数信号Ｓｆを無線受信する。周波数信号Ｓｆにより、電磁誘導が生じ、必要な電気エネルギーＰを生成する。
【００１８】
前記センサ回路１１０は、電源供給回路１３０からの電気エネルギーＰを受信し、センサ信号Ｓｓを生成し、そのセンサ信号Ｓｓをタブレット装置２００に送信する。前記電源供給回路１３０は、複数のセンサコイル１３２および整流回路１３４を含む。
【００１９】
前記複数のセンサコイル１３２は、タブレット装置２００が送信した周波数信号Ｓｆを受信する。周波数信号Ｓｆにより、電磁誘導が生じ、エネルギー信号を生成する。前記整流回路１３４は、センサコイル１３２に接続され、センサコイル１３２が送信したエネルギー信号を受信し、そのエネルギー信号を利用することにより、必要な電気エネルギーＰを生成する。
【００２０】
前述したセンサコイルの構造およびその実施形態をさらに詳細に説明する。本実施形態では、２つのセンサコイル１３２を例として説明する。２つのセンサコイル１３２は、以下、第１のセンサコイル１３２ａおよび第２のセンサコイル１３２ｂと称す。第１のセンサコイル１３２ａは、第２のセンサコイル１３２ｂの近くに配置される。さらに、第１のセンサコイル１３２ａおよび第２のセンサコイル１３２ｂは、何れも、整流回路１３４に接続される。第１のセンサコイル１３２ａの両端間には、第１のコンデンサＣ１が接続される。同様に、第２のセンサコイル１３２ｂの両端間には、第２のコンデンサＣ２が接続される。
【００２１】
第１のセンサコイル１３２ａおよび第２のセンサコイル１３２ｂが同時に周波数信号Ｓｆを受信したとき、第１のセンサコイル１３２ａおよび第２のセンサコイル１３２ｂは、同一の周波数を呈し、それにより、電磁誘導効果が発生し、エネルギー信号を生成し、そのエネルギー信号を整流回路１３４に送信する。
【００２２】
前記センサ回路１１０は、オシレータ回路１１４およびセンサコイル１１２を含む。前記オシレータ回路１１４は、電源供給回路１３０からの電気エネルギーＰを受信し、センサ信号Ｓｓを生成する。
前記センサコイル１１２は、オシレータ回路１１４に接続され、オシレータ回路１１４には第３のコンデンサＣ３が接続されるが、オシレータ回路１１４が生成したセンサ信号Ｓｓをタブレット装置２００に送信する。
【００２３】
前記タブレット装置２００は、少なくとも、信号処理回路２５０、第１のアンテナ回路２１０および第２のアンテナ回路２３０を含む。前記信号処理回路２５０は、周波数信号Ｓｆを生成し、電池不要の無線ポインティングデバイス１００が送信したセンサ信号Ｓｓに基づき、電池不要の無線ポインティングデバイス１００の座標位置を算出する。
【００２４】
前記第１のアンテナ回路２１０は、周波数信号Ｓｆを送信する。前記第２のアンテナ回路２３０は、センサ信号Ｓｓを無線受信する。
【００２５】
ここで図３を参照する。図３は、本考案の他の実施形態による電池不要の無線ポインティングデバイスおよびタブレット装置の回路構造を示す回路図である。図３に示すように、整流回路１３４とセンサ回路１１０との間には、エネルギー蓄積コンデンサＣｐが配置される。エネルギー蓄積コンデンサＣｐは、整流回路１３４が出力した電気エネルギーＰを蓄積し、電気エネルギーＰをセンサ回路１１０に供給する。
【００２６】
上述の本考案の実施形態は、本考案を限定するものではなく、当業者は、本考案の主旨を逸脱しない範囲において、変更および修飾を行なうことができ、それらはすべて本考案の実用新案登録請求の範囲に含まれる。本考案の保護範囲は、本考案の実用新案登録請求の範囲により画定された内容を基準とする。
【符号の説明】
【００２７】
１００  電池不要の無線ポインティングデバイス
１１０  センサ回路
１１２  センサコイル
１１４  オシレータ回路
１３０  電源供給回路
１３２  センサコイル
１３２ａ  第１のセンサコイル
１３２ｂ  第２のセンサコイル
１３４  整流回路
２００  タブレット装置
２１０  第１のアンテナ回路
２３０  第２のアンテナ回路
２５０  信号処理回路
Ｓｆ    周波数信号
Ｓｓ    センサ信号
Ｐ      電気エネルギー
Ｃ１    第１のコンデンサ
Ｃ２    第２のコンデンサ
Ｃ３    第３のコンデンサ
Ｃｐ    エネルギー蓄積コンデンサ
【図１】
0003152815.tif 000003
【図２】
0003152815.tif 000004
【図３】
0003152815.tif 000005